(57)【要約】  【課題】製造コストを下げて安価に提供できるとともに、薄型化の要求にも応えることのできるようにする。  【解決手段】押圧されると表裏方向で弾性的に反転するドーム状の可動接点部１４を有するクリックバネ１２と、可動接点部１４と対向して、一方の面に中央固定接点１７並びに周辺固定接点１８を設けている印刷配線基板１３とを具備する。可動接点部１４の弾性変形により中央固定接点１７と周辺固定接点１８とを電気的にオン・オフする。クリックバネ１２に、可動接点部１４の周縁部１４ａより外側に向かって延びる半田足片１５を設け、印刷配線基板１３の一方の面に、クリックバネ１２の半田足片１５と対応して半田接点１９を設ける。【選択図】図１
2007066642.tif 000002
【特許請求の範囲】
【請求項１】
上方から押圧されると表裏方向で弾性的に反転するドーム状の可動接点部を有する皿形クリックバネと、該クリックバネと対向して、一方の面に第１の接点並びに第２の接点を設けている配線基板とを具備し、前記可動接点部の弾性変形により第１の接点と第２の接点とを電気的にオン・オフするスイッチにおいて、
前記クリックバネに、前記可動接点部の外周縁より外側に向かって延びる半田足片を設け、前記配線基板の一方の面に、前記半田足片と対向して半田接点を設けたことを特徴とするスイッチ。
【請求項２】
上記クリックバネの上記半田足片を、円周方向に略等間隔ずつ離れて２つ以上設け、かつ、前記配線基板の一方の面上に前記半田接点を、前記半田足片にそれぞれ対応させて同数設けたことを特徴とする請求項１記載のスイッチ。
【請求項３】
上記半田足片と上記半田接点とを除いて、上記第１の接点及び上記第２の接点と上記クリックバネとの間を可動可能に形成し、かつ、前記半田足片に、上記クリックバネの操作時に発生する撓みを吸収する撓み部を設けたことを特徴とする請求項１または２記載のスイッチ。
【請求項４】
上方から押圧されると表裏方向で弾性的に反転するドーム状の可動接点部を有する皿形クリックバネと、該クリックバネと対向して、一方の面に第１の接点並びに第２の接点を設けている配線基板とを具備し、前記可動接点部の弾性変形により第１の接点と第２の接点とを電気的にオン・オフするスイッチの製造方法において、
前記クリックバネに、前記可動接点部の外周縁より外側に向かって延びる半田足片を設けるとともに、前記配線基板の一方の面に前記クリックバネの前記半田足片と対応して半田接点を設け、前記半田足片と前記半田接点との間を半田ペーストで仮固定した状態で半田リフロー炉に通し、前記半田足片と前記半田接点との間を半田で固定するようにしたことを特徴とするスイッチの製造方法。
【発明の詳細な説明】
【技術分野】
【０００１】
本発明はスイッチに関するものであり、特に、ドーム状をした皿形クリックバネを押圧することにより、その反転作用を利用して接点間を電気的にオン・オフするスイッチの改良、及びそのスイッチの製造方法に関するものである。
【背景技術】
【０００２】
従来、ドーム状をした皿形クリックバネを押圧することにより、その反転作用を利用して接点間を電気的にオン・オフするスイッチは数多く知られている（例えば、特許文献１，特許文献２参照）。
【０００３】
図５は、従来のスイッチの一例を示すもので、このスイッチ１は、基板２上に中央固定接点３と周辺固定接点４を形成し、この中央固定接点３及び周辺固定接点４に対応させて、ドーム状の皿形クリックバネ５を配置している。なお、皿形クリックバネ５は、基板２上に配置されるのに先立ち、ＰＥＴ(ポリエチレンテレフタレート)シートにアクリル系粘着材を塗布した粘着シート６に貼り付けられて用意され、ドーム状の皿形クリックバネ５の根元部５ｂを周辺固定接点４に接触させて、皿形クリックバネ５と周辺固定接点４との間を電気的に導通させた状態で、基板２上に粘着シート６と共に貼着固定される。
【０００４】
このスイッチ１では、皿形クリックバネ５の頂点部５ａの上から押圧力が与えられると、皿形クリックバネ５が表裏方向に変形して、頂点部５ａが中央固定接点３に接触し、中央固定接点３と周辺固定接点４間の電気的導通(オン)が行われる。また、頂点部５ａに付与した押圧力が解除されると、皿形クリックバネ５は自らの弾性力で元の状態に復帰して、中央固定接点３と周辺固定接点４間の電気的導通が遮断(オフ)される。
【特許文献１】実開平５−４３４３６号公報。
【特許文献２】特開平９−２３１８６３号公報。
【発明の開示】
【発明が解決しようとする課題】
【０００５】
しかしながら、図５に示したスイッチや特許文献２に示したスイッチの構造では、皿形クリックバネを基板上に粘着シートを用いて貼着するようにしているので、コストが高くなるという問題があった。また、粘着シートを使用しているので、ＰＥＴの耐熱性、粘着材の特性上、他の部品と一緒にリフロー半田付けを行うことが出来ず、さらなるコスト高を招く要因にもなっていた。しかも、粘着シートを使用する分だけ、厚みが大きくなる不都合もあった。
【０００６】
そこで、クリックバネの半田付けを可能にして粘着シートを不要にし、製造コストを下げて安価に提供できるとともに、薄型化の要求にも応えることのできるようにするために解決すべき技術的課題が生じてくるのであり、本発明はこの課題を解決することを目的とする。
【課題を解決するための手段】
【０００７】
本発明は上記目的を達成するために提案されたものであり、請求項１記載の発明は、上方から押圧されると表裏方向で弾性的に反転するドーム状の可動接点部を有する皿形クリックバネと、該クリックバネと対向して、一方の面に第１の接点並びに第２の接点を設けている配線基板とを具備し、前記可動接点部の弾性変形により第１の接点と第２の接点とを電気的にオン・オフするスイッチにおいて、前記クリックバネに、前記可動接点部の外周縁より外側に向かって延びる半田足片を設け、前記配線基板の前記一方の面に、前記半田足片と対向して半田接点を設けたスイッチを提供する。
【０００８】
この構成によれば、半田接点と半田足片との間に半田ペーストを塗布して、半田足片を半田接点に当接させると、この半田ペーストの粘性(粘着力)で、半田足片が半田接点に仮接着され、クリックバネを配線基板上に仮止めすることができる。次いで、この状態で半田リフロー炉に通すと、半田接点と半田足片との間が半田付けされ、配線基板上にクリックバネが強固に固着される。したがって、従来必要としていた、粘着シート等が不要になり、また別の部品と一緒に半田リフローが可能になる。さらに、粘着シートを使用しない分だけ、高さを低くすることができるとともに、部品点数も減る。
【０００９】
請求項２記載の発明は、請求項１において、上記クリックバネの上記半田足片を、円周方向に略等間隔ずつ離れて２つ以上設け、かつ、前記配線基板の一方の面上に前記半田接点を、前記半田足片にそれぞれ対応させて同数設けたスイッチを提供する。
【００１０】
この構成によれば、クリックバネを配線基板に取り付ける際に使用する半田足片と半田接点を、等間隔ずつ離れて２つ以上設けているので、仮接着から本固定に至るまでの間、半田接点と半田足片との間を確実に保持しておくことができる。これにより、作業がし易く、また位置精度もよくなる。
【００１１】
請求項３記載の発明は、請求項１または２において、上記半田足片と前記半田接点とを除いて、上記第１の接点及び上記第２の接点と上記クリックバネとの間を可動可能に形成し、かつ、前記半田足片に、上記クリックバネの操作時に発生する撓みを吸収する撓み部を設けたスイッチを提供する。
【００１２】
この構成によれば、クリックバネの押圧時に、クリックバネが第１，第２の接点に対して可動し、かつ、半田足片の撓み部が撓みを吸収することによって、良好なクリック感が得られる。
【００１３】
請求項４記載の発明は、上方から押圧されると表裏方向で弾性的に反転するドーム状の可動接点部を有する皿形クリックバネと、該クリックバネと対向して、一方の面に第１の接点並びに第２の接点を設けている配線基板とを具備し、前記可動接点部の弾性変形により第１の接点と第２の接点とを電気的にオン・オフするスイッチの製造方法において、前記クリックバネに、前記可動接点部の外周縁より外側に向かって延びる半田足片を設けるとともに、前記配線基板の一方の面に前記クリックバネの前記半田足片と対応して半田接点を設け、前記半田足片と前記半田接点との間を半田ペーストで仮固定した状態で半田リフロー炉に通し、前記半田足片と前記半田接点との間を半田で固定するようにしたスイッチの製造方法を提供する。
【００１４】
この製造方法によれば、半田接点と半田足片との間に半田ペーストを塗布して、半田足片を半田接点に当接させると、この半田ペーストの粘性で、半田足片が半田接点に仮接着され、クリックバネを配線基板上に仮止めすることができる。次いで、この状態で半田リフローを行うと、半田接点と半田足片との間が半田付けされ、配線基板上にクリックバネが強固に固着される。したがって、従来必要としていた、粘着シート等が不要になり、また別の部品と共に半田リフローを行う製造の仕方が可能になる。
【発明の効果】
【００１５】
請求項１記載の発明は、配線基板上にクリックバネを固着するのに、従来のスイッチで使用していた粘着シート等を無くすことができるから、部品点数が減り、また別の部品と共に半田リフローにて製造することができるので製造コストが抑えられ、安価に提供することができる。さらに、粘着シートを使用しない分だけ、高さを低くすることができ、小形化が可能になる。
【００１６】
請求項２記載の発明は、仮接着から本固定に至るまでの間、半田接点と半田足片との間の保持を確実に行うことができるので、請求項１記載の発明の効果に加えて、作業性の向上と製品精度の向上が図れる。
【００１７】
請求項３記載の発明は、良好なクリック感触を得ることができるので、請求項１または２記載の発明の効果に加えて、操作フィーリングの向上が図れる。
【００１８】
請求項４記載の発明は、部品点数が減り、また別の部品と共に半田リフローにて製造することができることから、製造コストを抑えられることができ、スイッチを安価に提供することができる。また、粘着シートを使用しない分だけ、高さを低くすることができるので、一層の小形化を可能にする。
【発明を実施するための最良の形態】
【００１９】
以下、本発明のスイッチについて、好適な実施例をあげて説明する。製造コストを下げて安価に提供できるとともに、薄型化の要求にも応えることのできるようにするという目的を達成するために、上方から押圧されると表裏方向で弾性的に反転するドーム状の可動接点部を有する皿形クリックバネと、該クリックバネと対向して、一方の面に第１の接点並びに第２の接点を設けている配線基板とを具備し、前記可動接点部の弾性変形により第１の接点と第２の接点とを電気的にオン・オフするスイッチにおいて、前記クリックバネに、前記可動接点部の外周縁より外側に向かって延びる半田足片を設け、前記配線基板の前記一方の面に、前記半田足片と対向して半田接点を設けることにより実現した。
【実施例】
【００２０】
図１は本発明に係るスイッチの一実施例を示している。本実施例にかかるクリックバネは、基板もしくはFPCに固定するための粘着テープをなくし、代わりに、半田リフローにて固定すると共に、クリックバネの操作時に発生する撓みを吸収する撓み部を設けたことを特徴とする。図において、スイッチ１１は、金属製皿形クリックバネ１２と、該皿形クリックバネ１２が載置される基板としての印刷配線板１３とで構成されている。
【００２１】
皿形クリックバネ１２は、図２にも示しているように、導電性金属板バネ材をプレス加工して、ドーム状に湾曲形成されている円形をした、表裏方向で弾性的に反転する可動接点部１４と、該可動接点部１４の根元となる周縁部１４ａより外側に向かって略水平に延長している２つの半田足片１５，１５を１８０度間隔で一体に設けている。また、半田足片１５，１５には、周縁部１４ａと隣接している部分を上方に湾曲させて、断面略Ｖ字形に屈曲してなる撓み部１６を設けている。この撓み部１６は、クリックバネ１２の操作時に発生する可動接点部１４の撓みを吸収する作用を有する。
【００２２】
印刷配線板１３は、絶縁性を有する基板であり、用途に応じて可撓性を有するフレキシブル基板も用いられる。印刷配線板１３の上面には、図３にも示しているように、銅箔または銀塗料若しくはカーボン等の導電性塗料を用いて、中央固定接点１７と、該中央固定接点１７の外側を囲った状態にしてなる概略環状をした周辺固定接点１８と、周辺固定接点１８の外側に位置して設けられている左右１対の半田接点１９，１９等が形成されている。
【００２３】
導電性塗料としては、エポキシ樹脂形，フェノール樹脂系，メラミン樹脂系，ポリイミド樹脂系の塗料に、銀，カーボン等の導電性粉末を含有させた樹脂系導電性塗料を用いるのが好ましい。また、中央固定接点１７からのジャンパー線１７ａの上には、エポキシ樹脂等の適宜の材料を用いて、オーバーコート２０が施されている。
【００２４】
なお、皿形クリックバネ１２と印刷配線板１３との関係では、皿形クリックバネ１２が、中央固定接点１７と同芯的に対向配置されると、周辺固定接点１８上に可動接点部１４の周縁部１４ａが配置されるとともに、半田接点１９，１９上に皿形クリックバネ１２の半田足片１５，１５が配置されるように設定されている。また、図１では、説明の都合上、１つのスイッチ１１だけを示しているが、通常は、同じ印刷配線板１３上に複数個のスイッチ１１が配列して設けられる。
【００２５】
そして、このように構成されたスイッチ１１を製造する場合は、まず、半田足片１５，１５と半田接点１９，１９との間に半田ペーストを塗布して、この半田ペーストの粘着力により、半田足片１５，１５と半田接点１９，１９との間を仮接着し、印刷配線板１３上に皿形クリックバネ１２を仮固定する。
【００２６】
続いて、必要に応じて、適宜他の部品と共に印刷配線板１３を半田リフロー炉に通して、半田リフロー処理を行うことで、半田足片１５，１５を半田接点１９，１９に半田付けし、皿形クリップバネ１２を印刷配線板１３に半田固着すると、スイッチ１１が完成する。このスイッチ１１では、半田足片１５，１５と半田接点１９，１９との間だけが半田固定され、周辺固定接点１８と、皿形クリックバネ１２における可動接点部１４の周縁部１４ａとの間は固定されていない。
【００２７】
このスイッチ１１では、皿形クリックバネ１２の頂点部１４ｂの上から押圧力が与えられると、皿形クリックバネ１２のドーム状をした可動接点部１４が裏側方向に変形して頂点部１４ｂが中央固定接点１７に接触し、中央固定接点１７と周辺固定接点１８間の電気的導通(オン)が行われる。
【００２８】
また、頂点部１４ｂに付与した押圧力が解除されると、皿形クリックバネ１２は自らの弾性力で元の状態に復帰して、中央固定接点１７と周辺固定接点１８間の電気的導通が遮断(オフ)される。なお、皿形クリックバネ１２の可動接点部１４が変形するとき、可動接点部１４による撓み変形は、半田足片１５の撓み部１６における撓み動作によって吸収除去され、これにより、良好なクリック感が得られる。
【００２９】
したがって、この本実施例におけるスイッチ１１によれば、半田リフローによって半田接点と半田足片との間を半田付けすることができるので、従来必要としていた、粘着シート等が不要になり、部品点数を減らすことができる。また、別の部品と共に半田リフローを行うことができるので、製造コストを抑えてスイッチを安価に提供することができる。また、粘着シートを使用しない分だけ、高さを低くすることができるので、小形化も可能になる。
【００３０】
なお、上記実施例の構造では、半田足片１５及び半田接点１９を各々２つずつ設けた構造を開示したが、１つ以上であれば幾つでも良く、例えば図４に示すように、３つずつ設けることもできる。
【００３１】
また、本発明は、本発明の精神を逸脱しない限り種々の改変を為すことができ、そして、本発明が該改変されたものに及ぶことは当然である。
【図面の簡単な説明】
【００３２】
【図１】本発明の一実施例を示す断面図。
【図２】図１の実施例で用いる皿形クリックバネの平面図。
【図３】図１の実施例で用いる印刷配線の平面図。
【図４】本発明の一変形例を示す平面図。
【図５】従来のスイッチの構成を示す断面図。
【符号の説明】
【００３３】
１１    スイッチ
１２    皿形クリックバネ
１３    印刷配線板（基板）
１４   可動接点部
１４ａ  周縁部
１４ｂ  頂点部
１５    半田足片
１６    撓み部
１７    中央固定接点
１７ａ  ジャンパー線
１８    周辺固定接点
１９    半田接点
２０    オーバーコート
【図１】
2007066642.tif 000003
【図２】
2007066642.tif 000004
【図３】
2007066642.tif 000005
【図４】
2007066642.tif 000006
【図５】
2007066642.tif 000007